(57)【要約】      （修正有）【課題】金属同士の固定または固着を確実なものとする金属製装飾品を提供する。【解決手段】連続ロスト・ワックス鋳造における、土台金属の表面を凹処理するのではなく、表裏貫通穴を設け、裏から鋳造して、組み合わせる。土台金属に設けられた貫通穴に二次鋳造の異種金属が縫われたように流れ込み、組み込まれる為土台金属の表面に現れた二次鋳造の異種金属はのちに土台金属を形状変化させても脱落してしまう事はなくなった。【選択図】図２
0003161502.tif 000002
【実用新案登録請求の範囲】
【請求項１】
装身具や宝飾品の製作時における金属の鋳造方法において、異なる複数の金属を、続けて鋳造し、土台となる方の金属に二次鋳造する異種金属を裏面から流し込み、土台となる金属に、任意の形状で開けた貫通穴を通して、土台金属の表面に二次鋳造する異種金属を用いて任意の模様を表現する。
【請求項２】
装身具や宝飾品の製作時の鋳造法において、異なる複数の金属を続けて鋳造し、土台となる金属に二次鋳造する金属を裏面から流し込み、土台金属の側面を形成させる事。
【考案の詳細な説明】
【技術分野】
【０００１】貴金属及び、非鉄金属製装飾品の鋳造法、ロスト・ワックス法に関する考案
【背景技術】
【０００２】従来のロスト・ワックス法による、合わせキャストと呼ばれる連続鋳造法が存在したが、この方法は、土台となる金属を鋳造する際に元となるワックス・パターンの段階で、表面に二次鋳造を行う際の異種金属が流れ込む凹部を設けておき、二次鋳造で、この土台金属の凹部に異種金属を固定させるだけであった。【０００３】一般的に合わせキャストは、土台の金属と、二次鋳造の異種金属の間に、ロー付け等による溶接はなく、ただ単に巌合されているにすぎない。【０００４】例えば指輪等の製品に、従来の合わせキャストを用いてしまうと、のちにサイズ直し等で土台の金属に形状変化が起きた場合、巌合されていた二次鋳造の異種金属との間に、歪みが発生して、土台の金属から二次鋳造の異種金属が外れてしまう場合があった。
【考案が解決しようとする課題】
【０００５】上記の如く、従来技術である合わせキャストでは、二次以降の鋳造金属と土台金属の固定に関して不安定な場合が生じるので、この金属同士の固定または固着を確実なものとする必要がある。
【課題を解決する為の手段】
【０００６】上述の目的を達成する為には、土台金属に単に凹部を設けるのではなく、表面から裏面までの貫通穴を開けてしまい、二次鋳造は裏から行って表面まで流し込んでしまう方法にすればよい。
【考案の効果】
【０００７】以上説明したように本考案によれば、土台金属に設けられた貫通穴に二次鋳造の異種金属が縫われたように流れ込み、組み込まれる為土台金属の表面に現れた二次鋳造の異種金属はのちに土台金属を形状変化させても脱落してしまう事はなくなった。
【０００８】その上、例えばプラチナで土台金属を作り、Ｋ１８で二次鋳造を行うデザインであった場合この貫通穴を増やし土台金属のプラチナの必要量を減らし、価格の比較的安いＫ１８の必要量を増やせば、同じ見栄えで、材料費を下げる事が可能となる。
【考案を実施するための最良の形態】
【０００９】以下、本考案の実施形態を、図面に基づき詳細に説明する。【００１０】図１は完成品である。１はプラチナ製の士台で、２は二次鋳造したＫ１８である。
図２は完成品の一部を削除して、完成品の中の構造を説明する為の図である。【００１１】この製作過程は、まず図３のように、貫通穴４のあるプラチナ製土台を、予めワックス造型機で製作し鋳造する。【００１２】次に図４のような完成品と同じ形状の銀製原型５に、錫道６を溶接して図５のような銀製原型５を型取りして、同じ形の空間８のあるシリコン・ゴム型７をつくる。【００１３】シリコン・ゴム型７に前もって作っておいたプラチナ製土台１を嵌め込んだ後、鋳造用ワックス９を流し込むとワックスの９と１０が形成される。これをＫ１８でロスト・ワックス鋳造し、Ｋ１８製になった錫道１０を削除すると、図１のような完成品となる。【００１４】図７は、この方法をペンダントに応用した時の断面図である。
【産業上の利用可能性】
【００１５】本考案は、貴金属装身具及び、非鉄金属装身具を製造する産業分野で利用することができる。
【符号の説明】
【００１６】１はプラチナ製土台
２は二次鋳造したＫ１８
３は完成品の断面
４は貫通穴
５は銀製原型
６は銀製錫道
７はシリコン・ゴム型
８は空洞
９はワックス、鋳造後Ｋ１８製
１０はワックス製の錫道、鋳造後Ｋ１８製
１‘は１と同じプラチナ製ペンダントの土台
２‘は２と同じ二次鋳造したＫ１８
【図１】
0003161502.tif 000003
【図２】
0003161502.tif 000004
【図３】
0003161502.tif 000005
【図４】
0003161502.tif 000006
【図５】
0003161502.tif 000007
【図６】
0003161502.tif 000008
【図７】
0003161502.tif 000009
【手続補正書】
【提出日】平成22年4月14日(2010.4.14)
【手続補正１】
【補正対象書類名】実用新案登録請求の範囲
【補正対象項目名】全文
【補正方法】変更
【補正の内容】
【実用新案登録請求の範囲】
【請求項１】
鋳造された金属製土台（１，１′）と、この土台（１，１′）とは異種の金属で二次的に鋳造されて該土台（１，１′）の裏面に一体に接合された異種金属体（２，２′）とよりなる金属製装身具であって、
前記土台（１，１′）には、それの表面と裏面に開口する貫通孔（４）が形成され、
前記異種金属体（２，２′）は、前記貫通孔（４）を埋めるように鋳造されていて、その異種金属体（２，２′）の一部が、前記貫通孔（４）に対応した位置で前記土台（１，１′）の表面に露出していることを特徴とする、金属製装身具。
【請求項２】
鋳造されたリング状の金属製土台（１）と、この土台（１）とは異種の金属で二次的に鋳造されて該土台（１）の裏面に一体に接合されたリング状の異種金属体（２）とよりなる金属製指輪であって、
前記土台（１）には、それの表面と裏面に開口する貫通孔（４）が形成され、
前記異種金属体（２）は、前記貫通孔（４）を埋めるように鋳造されていて、その異種金属体（２）の一部が、前記貫通孔（４）に対応した位置で前記土台（１）の表面に露出していることを特徴とする、金属製指輪。
【請求項３】
鋳造された金属製土台（１′）と、この土台（１′）とは異種の金属で二次的に鋳造されて該土台（１′）の裏面に一体に接合された異種金属体（２′）とよりなる金属製ペンダントであって、
前記土台（１′）には、それの表面と裏面に開口する貫通孔（４）が形成され、
前記異種金属体（２′）は、前記貫通孔（４）を埋めるように鋳造されていて、その異種金属体（２′）の一部が、前記貫通孔（４）に対応した位置で前記土台（１′）の表面に露出していることを特徴とする、金属製ペンダント。
【手続補正２】
【補正対象書類名】明細書
【補正対象項目名】全文
【補正方法】変更
【補正の内容】
【考案の詳細な説明】
【技術分野】
【０００１】
本考案は、金属製装身具並びに金属製の指輪及びペンダントに関する。
【背景技術】
【０００２】
金属製装身具の鋳造法としては、従来のロスト・ワックス法による、合わせキャストと呼ばれる連続鋳造法が存在したが、この方法は、土台となる金属を鋳造する際に元となるワックス・パターンの段階で、表面に二次鋳造を行う際の異種金属が流れ込む凹部を設けておき、二次鋳造で、この土台金属の凹部に異種金属を固定させるだけであった。
【０００３】
一般的に合わせキャストは、土台の金属と、二次鋳造の異種金属の間に、ロー付け等による溶接はなく、ただ単に巌合されているにすぎない。
【０００４】
例えば指輪等の製品に、従来の合わせキャストを用いてしまうと、のちにサイズ直し等で土台の金属に形状変化が起きた場合、巌合されていた二次鋳造の異種金属との間に、歪みが発生して、土台の金属から二次鋳造の異種金属が外れてしまう場合があった。
【考案の概要】
【考案が解決しようとする課題】
【０００５】
上記の如く、従来技術である合わせキャストでは、二次以降の鋳造金属と土台金属の固定に関して不安定な場合が生じるので、この金属同士の固定または固着を確実なものとする必要がある。
【課題を解決するための手段】
【０００６】
上述の目的を達成する為には、土台金属に単に凹部を設けるのではなく、表面から裏面までの貫通穴を開けてしまい、二次鋳造は裏から行って表面まで流し込んでしまうようにすればよく、そこで本考案は、鋳造された金属製土台と、この土台とは異種の金属で二次的に鋳造されて該土台の裏面に一体に接合された異種金属体とよりなる金属製装身具であって、前記土台には、それの表面と裏面に開口する貫通孔が形成され、前記異種金属体は、前記貫通孔を埋めるように鋳造されていて、その異種金属体の一部が、前記貫通孔に対応した位置で前記土台の表面に露出していることを第１の特徴とし、また本考案は、鋳造されたリング状の金属製土台と、この土台とは異種の金属で二次的に鋳造されて該土台の裏面に一体に接合されたリング状の異種金属体とよりなる金属製指輪であって、前記土台には、それの表面と裏面に開口する貫通孔が形成され、前記異種金属体は、前記貫通孔を埋めるように鋳造されていて、その異種金属体の一部が、前記貫通孔に対応した位置で前記土台の表面に露出していることを第２の特徴とし、さらに本考案は、鋳造された金属製土台と、この土台とは異種の金属で二次的に鋳造されて該土台の裏面に一体に接合された異種金属体とよりなる金属製ペンダントであって、前記土台には、それの表面と裏面に開口する貫通孔が形成され、前記異種金属体は、前記貫通孔を埋めるように鋳造されていて、その異種金属体の一部が、前記貫通孔に対応した位置で前記土台の表面に露出していることを第３の特徴とする。
【考案の効果】
【０００７】
以上説明したように本考案によれば、土台金属に設けられた貫通穴に二次鋳造の異種金属が縫われたように流れ込み、組み込まれるので、土台金属の表面に現れた二次鋳造の異種金属はのちに土台金属を形状変化させても脱落してしまう事はなくなった。
【０００８】
その上、例えばプラチナで土台金属を作り、Ｋ１８で二次鋳造を行うデザインであった場合、この貫通穴を増やし土台金属のプラチナの必要量を減らし、価格の比較的安いＫ１８の必要量を増やせば、同じ見栄えで、材料費を下げる事が可能となる。
【図面の簡単な説明】
【０００９】
【図１】完成品を示す斜視図
【図２】前記完成品の一部を削除して、完成品の中の構造を説明する為の斜視図
【図３】貫通穴のあるプラチナ製土台を示す斜視図
【図４】完成品と同じ形状の銀製原型に錫道を溶接したものを示す斜視図
【図５】前記銀製原型を型取りして作られた、銀製原型と同じ形の空間のあるシリコン・ゴム型を示す斜視図
【図６】シリコン・ゴム型に前もって作っておいたプラチナ製土台を嵌め込んだ後、鋳造用ワックスを流し込んだものを示す斜視図
【図７】本考案をペンダントに応用した時の断面図
【考案を実施するための形態】
【００１０】
以下、本考案の実施形態を、図面に基づき詳細に説明する。
【００１１】
図１は指輪の完成品である。１はプラチナ製の士台で、２は、土台１の鋳造後、二次鋳造されて土台１の裏面に一体に接合された異種金属体、例えばＫ１８である。
【００１２】
図２は完成品の一部を削除して、完成品の中の構造を説明する為の図である。
【００１３】
この製作過程は、まず図３のように、貫通穴４のあるプラチナ製土台１を、予めワックス造型機で製作し鋳造する。
【００１４】
次に図４のような完成品と同じ形状の銀製原型５に、錫道６を溶接して図５のような銀製原型５を型取りして、同じ形の空間８のあるシリコン・ゴム型７をつくる。
【００１５】
シリコン・ゴム型７に前もって作っておいたプラチナ製土台１を嵌め込んだ後、鋳造用ワックス９を流し込むと、プラチナ製土台１に、図６に示すようにワックスの９と１０が形成される。これをＫ１８でロスト・ワックス鋳造し、Ｋ１８製になった錫道１０を削除すると、図１のような完成品となる。
【００１６】
図７は、この方法をペンダントに応用した時の断面図である。
【産業上の利用可能性】
【００１７】
本考案は、貴金属装身具及び、非鉄金属装身具を製造する産業分野で利用することができる。
【符号の説明】
【００１８】
１・・・指輪の土台
２・・・二次鋳造したＫ１８（異種金属体）
３・・・完成品の断面
４・・・貫通穴
５・・・銀製原型
６・・・銀製錫道
７・・・シリコン・ゴム型
８・・・空洞
９・・・ワックス、鋳造後Ｋ１８製
１０・・ワックス製の錫道、鋳造後Ｋ１８製
１′・・プラチナ製ペンダントの土台
２′・・二次鋳造したＫ１８（異種金属体）